(57)【特許請求の範囲】
【請求項１】
バリカンと共に使用する取付け櫛（１０）において、該取付け櫛（１０）をバリカンに取り付け可能に構成された基底部分（１２）と、該基底部分（１２）から伸張する複数の歯（１４）とを有し、該複数の歯（１４）はその夫々が、上方周辺エッジ（４１）と下方周辺エッジ（２６，２８）の間に形成された本体部分を含み、且つ当該複数の歯（１４）の少なくとも一つの当該下方周辺エッジ（２６，２８）に於ける少なくとも一部の長さ部分に沿って延長されている少なくとも一つの広幅状リブ部分（４０）を含んでおり、当該少なくとも一つの広幅状リブ部分（４０）は、当該歯に於ける本体部分の厚みよりも広い幅を形成しており、それによって当該少なくとも一つの広幅状リブ部分（４０）は散髪されている人の頭部と滑動接触するように構成されている事を特徴とする取付け櫛。
【請求項２】
当該下方周辺エッジの少なくとも一部は、当該取付け櫛（１０）が、頭髪がトリミングされている人の頭部の表面から頭髪の比較的長いストランドを容易に持ち上げて当該頭部の表面から一様な長さを有する様に頭髪をトリミングができるような構成を有しており、且つ当該一様さは、少なくとも２．５４ｃｍ（１インチ）である事を特徴とる請求項１記載の取付け櫛。
【請求項３】
前記歯の前記下方周辺エッジの末端部が、補助長さ（４８）として定義される所定の長さにわたって伸張し、広幅状リブ部分（４０）が少なくとも前記補助長さ（４８）に接して設けられており、前記補助長さ（４８）上の前記リブ部分が前記歯に対して剛性を付加することを特徴とする請求項１又は２に記載の取付け櫛。
【請求項４】
前記複数の歯の内の少なくとも一部の歯の下方周辺エッジに湾曲部分が形成されており、 当該湾曲部分を構成する弧が少なくとも部分的に、散髪されている人の頭の表面に対応するように形成されており、 かつ広幅状リブ部分が少なくとも前記湾曲部分に接する様に設けられていることを特徴とする請求項１乃至３のいずれかに記載の取付け櫛。
【請求項５】
前記複数の歯の夫々が、前記基底部分の近傍に設けられた基底部分近接端部（３６）とその反対側に設けらている先端部（３８）とを含み、前記下方周辺エッジの夫々が、前記先端部（３８）の近傍に凹部湾曲表面（２６）が設けられており且つ 前記基底部分近接端部（３６）の近傍に凸部湾曲表面（２８）が設けられていることを特徴とする請求項１乃至４のいずれかに記載の取付け櫛。
【請求項６】
前記凹部湾曲表面（２６）が、約５．０８ｃｍから１０．１６ｃｍの半径を持つ円の約３０度から４０度の弧によって輪郭が定められ、 前記凸部湾曲表面（２８）が、約２．５４ｃｍから５．０８ｃｍの半径を持つ円の約４０度から５０度の弧によって輪郭が定められることを特徴とする請求項５記載の取付け櫛。
【請求項７】
前記凹部湾曲表面が少なくとも２つの互いに別々の半径を持つ事ができ、これによって、前記歯の一部が第１の半径を持つ凹部湾曲表面（２６’）を含み、前記別の歯の一部が前記第１の半径より大きい第２の半径を持つ凹部湾曲表面（２６）を含むことを特徴とする請求項５又は６に記載の取付け櫛。
【請求項８】
前記歯の内の少なくとも一部の歯における前記下方周辺エッジの内の少なくとも一部に拡幅リブ部分が設けられており、前記拡幅リブ部分が、前記第１の半径を持つ前記凹部湾曲表面（２６’）に沿っては設けられていないことを特徴とする請求項７記載の取付け櫛。
【請求項９】
前記複数の歯が互いに斜めになるように角度が付けられ、これによって、頭髪をバリカンに向けて揃えて誘導するようになっていることを特徴とする請求項１乃至８のいずれかに記載の取付け櫛。
【請求項１０】
１対の肉厚ショルダが前記基底部分の両側のエッジから前記複数の歯の内のｌ対にまで伸張し、前記肉厚ショルダの対が蕊 バリカンに対して前記取付け櫛の位置合わせをし得るように構成され配置されていることを特徴とする請求項１乃至９のいずれかに記載の取付け櫛。
【請求項１１】
前記基底部分が概して水平方向に伸張する部分を含むと共に、前記凸部湾曲表面の半涙滴形状部は、徐々に短い部分となる高い部分を含み、前記高い部分の中心領域から取られた前記水平方向伸張部分に直角な縦方向の高さが、前記短い部分の中心領域から取られた前記水平方向伸張部分に直角な縦方向高さの少なくとも２倍あり、これによって、頭髪の比較的長いストランドをトリミングされている人の頭部の表面から持ち上げることができることを特徴とする請求項１乃至１０のいずれかに記載の取付け櫛。
【請求項１２】
前記肉厚ショルダの夫々が、前記基底部分の前記外側エッジから略上方でかつ水平方向の平面に対して概して伸張する略平面状の壁によって輪郭を定められ、前記肉厚ショルダがバリカンの静止ブレードを取り囲むように配設されて、前記取付け櫛が前記静止ブレードを基準として横方向に揃えられ、これによって、バリカンの振動ブレードが前記取付け櫛と接触しないよう構成されたことを特徴とする請求項１０記載の取付け櫛。
【発明の詳細な説明】
【０００１】
【発明の属する技術分野】
本発明は一般的には、バリカンと共に使用するための取付け櫛に関し、より特定的には、ヘアーカットの対象者の心地よさを増すように、バリカンを誘導する力をより良く分散させるために湾曲しておりまた拡幅のリブを含む底部エッジを持った複数の歯を含むような取付け櫛に関する。
【０００２】
その上、本発明による取付け櫛の複数の歯は、バリカンのカッティングブレードに対する頭髪の、とくに長い頭髪の揃えと送りが容易となるように、広がっているのが好ましい。
【０００３】
【従来の技術】
一般的に、現在使用されている取付け櫛のほとんどが、バリカンの歯領域から離れるように伸張する１群の歯を含んでいる。これらの歯は、カッティングブレードを皮膚から比較的固定された距離に維持するために、頭部（またはカッティングされる他の領域）の皮膚に接触して、これによって頭髪が一様な長さにカッティングされるように設計されている。この取付け櫛の底部エッジは一般には頭皮の表面に沿って押され、これによって、歯が頭髪をバリカンのカッティングブレードに向けて誘導するようになっている。ブレードを皮膚から別の異なった距離に維持する異なったタイプの取付け櫛を用いて、頭髪を異なった長さにカッティングするようにしてもよい。
通常は、散髪する領域の皮膚と接触する歯のより下方の周辺表面は、狭くしかも実質的に直線状となっている。このようにして、直線状の歯表面の小さな領域だけが、散髪されている人の頭部の湾曲した表面を接触するようになっている。
【０００４】
【発明が解決しようとする課題】
したがって、人の頭部に沿ってバリカンを誘導するために加えられる力は比較的に少ない加圧点に集中し、このため、散髪されている人が不快感を感じやすいことになる。
【０００５】
歯の比較的直線状の表面とヘアーカットされている人の頭部の湾曲した表面との間の不揃いがまた、頭髪を単一で一様な長さにトリミングすることを困難にしている。直線状の歯表面が湾曲した頭部表面に対して当てられると、バリカンアセンブリ（これにはバリカンおよび取付け櫛が含まれる）が接触点の回りにピボット旋回もしくは「揺動」する傾向がある。この揺動運動によって、頭部に対するカッティングブレードの間隔が変動し、その結果、頭髪のトリミング長さがばらばらになりかねない。
【０００６】
最も一般的に使用されている取付け櫛のさらなる問題は、約２．５４ｃｍ（１インチ）を超える比較的大きな長さにまで頭髪を適切にカッティングする方法がないことである。頭髪を比較的長くカッティングするには、櫛を適切に持ち上げて頭髪をこのような長さに維持しなければならない。頭髪が長いとまた、別々の方向に向いてしまうことが多く、これらの頭髪の長いストランドを揃えることは初期の櫛設計者にとっては問題であった。頭髪を比較的長くカッティングすることに関連する問題のために、現在利用されているほとんどの取付け櫛が、２．５４ｃｍよりはるかに短い、通常は１．２７ｃｍから０．６３５ｃｍという長さに頭髪をカッティングするような設計となっている。頭髪を比較的長くカッティングするのに適している効果的な取付け櫛は一般には手に入らないので、頭髪を２．５４ｃｍ以上の長さにカッティングするには通常は、ハサミを用いるか、バリカンと櫛を組み合わせて用いるか（この場合、櫛は頭髪を頭皮から持ち上げるために用いられる）する必要がある。これら２つの方法の内のいずれを用いる場合でも、理容師またはスタイリストとしての専門的な訓練を受けていない人にとっては、頭髪を一様な長さにカッティングすることが困難となる。
【０００７】
頭髪を比較的長くカッティングする際に遭遇する困難の他にも、現在利用可能な取付け櫛の多くが、バリカンのカッティング領域の方に向けて長い頭髪を適切に送るのは困難である。また、現在利用されている多くの取付け櫛の場合、櫛が１束の頭髪中に挿入された際に歯の先導部分が遭遇する抵抗が比較的高いという問題がある。
【０００８】
したがって、上記の問題点に鑑み、本発明の１つの目的は、散髪されている人により大きい心地よさを提供することが可能な、バリカンと一緒に使用される改良型の取付け櫛を提供することである。
本発明のもう１つの目的は、頭髪を手入れされている人の頭部に応じられるように湾曲した下方の周辺表面を有し、また、より心地よいヘアカットを達成できるような改良型の取付け櫛を提供することである。
【０００９】
本発明の１つの関連する目的は、歯の一部または前部の下方周辺表面上に拡幅リブを付け加えたことによって、頭髪をトリミングされている人にとってより心地よい改良型の取付け櫛を提供することである。
本発明のもう１つの目的は、バリカンアセンブリが「揺動」され、その結果、頭髪が不均一な長さにカッティングされる確率を減少させることによって頭髪を一様な長さに容易にカッティングすることが可能な改良型取付け櫛を提供することである。
【００１０】
本発明のもう１つの目的は、２．５４ｃｍ（１インチ）以上と比較的に長く頭髪をトリミングすることを可能とするような特殊な形状の歯を持った改良型の取付け櫛を提供することである。
本発明のもう１つの目的は、カッティングブレードの近傍の領域から広がっていて、頭髪をカッティングブレードに向けて整列させて誘導しやすくするような歯を提供することによって長い頭髪を切ることを容易にする改良型の取付け櫛を提供することである。
【００１１】
本発明のさらにもう１つの目的は、歯の少なくとも１部の歯の半径が減少した表面で構成されて（すなわちアンダーカットになって）いて、櫛が１束の頭髪中に挿入された際に歯の先導エッジが遭遇する抵抗のレベルを最少にとどめるような改良型の取付け櫛を提供することにある。
本発明のこれらの目的および他の目的は上述の通り、または以下に続く本発明の詳細な説明から明らかになるであろう。
【００１２】
【課題を解決するための手段】
上記の目的は、カッティング対象者の頭部に沿って心地よく移動するように構成された特殊な湾曲を持つ下方周辺表面を持つ１連の歯を含み、これらの歯の比率がまた、２．５４ｃｍ以上という比較的大きな長さに頭髪をトリミングすることを可能とするような値であることが好ましいところの、バリカン用の本発明による取付け櫛によって達成される。
【００１３】
より特定的には、本発明は、取付け櫛をバリカンに取り付けるような構成と配置になっている基底部分および、この基底部分から伸張する複数の歯を含むバリカンと共に使用される取付け櫛を提供する。これらの歯は夫々が、上方の周辺エッジと下方の周辺エッジによって輪郭を定められる本体部分を含み、これによって歯の下方周辺エッジが、散髪されている人の頭部と滑動接触するような構成と配置になっている。これらの歯の少なくとも１つは、この歯の下方周辺エッジの全長の少なくとも１部分に沿って伸張するリブ部分を含むのが好ましい。さらに、これらの歯の下方周辺表面が、湾曲した凸部表面と湾曲した凹部表面の双方を含む半涙滴形状となるように湾曲しているのが好ましい。最後に、歯は、基底部分から離れて伸張するに連れて外側に広がり、これによって、カッティング中の頭髪が、バリカンのカッティングブレードに整列されて向けられるようにしてもよい。
【００１４】
【実施例】
本発明の上記の特徴および他の特徴ならびにそれらを得る方法は、以下の添付図面である図１〜図６及び次の説明を参照すればより明らかになるであろうし、最も良く理解されよう。
【００１５】
ここで図１から６を参照すると、本発明によるバリカン取付け櫛の好ましい実施態様が総称的に１０で示され、基底部分１２および複数の歯１４を含んでいるのが分かる。取付け櫛１０は可塑材料から成形するのが好ましいが、他の材料および製造方法もまた本発明の範囲内であると考えられる。取付け櫛１０の基底部分１２は、取付け櫛１０が本来の位置にある状態でバリカンがヘアカットを受けている人の頭部の表面上を滑動する際に取り付け櫛１０の歯１４が頭髪をカッティングブレードに向けて誘導するような具合にカッティングブレード近傍でバリカンに取付け櫛１０を固定的に取り付けることを可能とするような設計であれば多くある他のどのような設計による構造のものであってもよい。
【００１６】
基底部分１２は、取付け櫛１０をバリカンに固定的に接続したままに維持することが可能であることが望ましいが、基底部分１２はまた、使用者が取付け櫛を別の構成を持つ取付け櫛と交換したり取付け櫛無しでバリカンを使用したりしたい場合に、取付け櫛１０をバリカンから容易に取り外せるようなものであることが望ましいという点に注意すべきである。本好ましい実施態様においては、基底部分１２は、これら２つの目的を、水平方向に伸張する部分１６（図４を参照）および水平方向伸張部分１６から伸張するタブ１８（図１から４を参照）を含むことによって達成するように構成されている。
【００１７】
タブ１８をより可とう性のものとし、これによって櫛１０をバリカンに取り付けやすくするような２つのスロットがタブ１８を囲むように存在するのが好ましい。図１と２に示すように、水平方向伸張部分１６の表面に複数の突起２２が存在し、タブ１８から細長リップ２４が伸張している。突起２２および細長リップ２４は、バリカンの静止ブレード３５上で表面と協働して、取付け櫛１０を動作位置に固定する。
【００１８】
本発明のいくつかの重要な特徴が、歯１４の形状と構成に関連している。図４に示すように、歯１４はそのおのおのが、自身の先端部（３８）近傍にある下方の周辺エッジ上に湾曲した凹部２６を含むのが好ましい。クリッパと取付コームのアセンブリが通常に操作されるという方式のために、凹部湾曲表面２６を歯１４の先端部（３８）近傍に位置付けすることは、この表面が、頭髪をトリミングされている最中の人の頭部と接触する最初の表面の内の１つになることを必然的に意味する。この凹部湾曲表面２６は、散髪されている人の頭部の表面に適合するような設計になっている。
【００１９】
それぞれ異なった半径を持ついくつかの別々の凹部曲線を、大人用の製品の凹部湾曲表面より小さな半径を持つ凹部湾曲表面を含む子供用の製品などのさまざまなバージョンの取付け櫛に対して選択しても良いことは予測されることである。凹部湾曲表面２６によって、取付け櫛１０はヘッドの表面に沿ってバリカンを平滑に誘導でき、これによって、平坦な下方周辺表面を持つ取付け櫛を使用するとときどき発生する「揺動」運動を無くす（または少なくとも減少させる）ことができる。
【００２０】
このようにして、「揺動運動」を減少させることにより、凹部湾曲表面２６によって、頭髪のさまざまなストランドを一様な長さにカッティングすることが容易となる。
【００２１】
図４にも示すように、歯１４のその夫々が有する下方周辺表面もまた、凹部湾曲表面２６と水平方向伸張部分１６の間に置かれた凸部湾曲表面２８を含んでいる。すでに述べたように、取付け櫛１０が、頭髪をトリミングされている人の頭部の表面を滑走するに連れて、凸部湾曲表面２８は凹部湾曲表面２６を追うように頭部と接触する。この凸部湾曲表面２８は一様なカッティング長さを維持し、また、頭髪をトリミングされている人の頭部表面から取付け櫛１０をスムースに取り外ししやすいようにする。
【００２２】
以下に説明する特殊な形状と寸法を持つ歯１４を含む取付け櫛１０によって、比較的長い頭髪を一様な長さに心地よく散髪することが可能な取付け櫛を開発するという意図を持つ目的の内の少なくとも１つが満足される。すでに図示し説明した実施態様は、約３．８１ｃｍ（１インチ）の長さに頭髪を一様にカッティングするように設計された構成の１例（以後、３．８１ｃｍ実施態様と呼ぶ）である。
【００２３】
しかしながら、前述の説明は認めながらも、開示される特殊形状と提案される寸法を変更しても、本発明の主目的が達成される限り、そのような変更もまた本発明の範囲内に含まれるものと考慮されることを心にとどめるべきである。その上、本発明による寸法と構成もまた、カッティングされた結果としての頭髪が３．８１ｃｍ以外の事前決定された一様な長さになるように変更され得ることもまた心にとどめておくべきである。
【００２４】
凹部湾曲表面２６の曲線に関して、図示の３．８１ｃｍ実施態様において、この曲線は、約５．０８ｃｍ（２インチ）から１０．１６ｃｍ（４インチ）の半径を持つ円によって作られた角度θ（ここで、θは約３０度から４０度である）の弧に基づくようにすることが提案される。３．８１ｃｍ取付け櫛の場合、θは約３５度であり、約７．６２ｃｍの半径を持つ円に基づいている。
【００２５】
標準の３．８１ｃｍ実施態様の予測される変更例において、凹部湾曲表面２６はまた、減少半径表面２６’によって、図４で破線で示すように、短縮歯として形成されている。減少半径表面２６’は、取付け櫛１０を製造するに必要とされる材料の分量を減少させ、これによって製造費用が減少する。しかしながら、減少半径表面２６’を用いても、頭髪を一様な長さにカッティングするという点で取付け櫛の性能を損なうものではない。
【００２６】
その上、ヘッドを基準とした櫛１０の傾斜角度は減少半径部分２６’によって変化することはないが、その理由は、頭皮は正接点３０および３２で接触したままであるからである。減少半径部分２６’を持つ構成の１つの恩典は、これらの歯が、凹部湾曲表面２６を持つ歯よりも１束の頭髪中により容易に侵入するという点にある。減少半径表面２６’は１つ１つの歯１４に含まれる、または図１で破線で示すような代替の歯にだけ含まれるようにしてもよい。また、減少半径表面２６’は内部の歯（図３の歯１４’’と１４’’’  など）にだけ含まれるようにすることもできる。
【００２７】
標準の３．８１ｃｍ（１．５インチ）実施態様の凹部湾曲表面２６を測定する代替方法として、角度γが、基底部分１２の水平方向伸張部分１６によって定められる直線の拡張線である直線３４を持つ凹部湾曲表面２６の外部限界の正接点３０と３２を接続する直線の間に形成される方法がある。この実施態様における角度γは約２０度から３０度であるのが好ましいが、約２０度という角度は図４に示す実施態様の場合で選択された数値である。
【００２８】
ここで凸部湾曲表面２８に目を転じると、この表面は、中心点をＣとして、角度αを持つ弧によってその輪郭を定められる。中心点Ｃは実際にカッティングが実行される場所であり、この点が、静止ブレード３５および移動ブレード３７の先端同士が会合する場所であるからである。したがって、半径約３．８１ｃｍの円は、３．８１ｃｍ実施態様（この場合、頭髪は３．８１ｃｍの長さにカッティングされる）において角度αを持つ弧の基底として必要であるが、これによって、カッティング表面を頭皮の表面から３．８１ｃｍの距離に維持する。もちろん、本発明による取付け櫛を、例えば４．４４５ｃｍや５．０８ｃｍなどの他の事前決定された長さに頭髪をカッティングするように修正してもよいが、このような修正された櫛は、それに応じて４．４４５ｃｍ（１．７５インチ）や５．０８ｃｍ（２インチ）などの半径を持つ円を含む。
【００２９】
３．８１ｃｍ実施態様においては、角度αは約４０度から５０度であることが望ましいが、４５度という角度が好ましい。凸部湾曲表面２８および凹部湾曲表面２６を図４に示すように側部から見ると、概して半涙滴形状と言えるような連続曲線を形成している。
【００３０】
本発明の別の重要な特徴は、凸部湾曲表面２８と凹部湾曲表面２６の間の寸法の関係である。これらの湾曲表面近傍の領域の実際の高さと相対的な高さは重要であるが、その理由は、バリカンと取付け櫛のアセンブリが頭皮に接近する、すなわちデバイスの角度に近づく角度を決定する主要因の内の１つであるからである。図４に示すように、“Ａ”  と符号付けされた垂直高度線は、凸部湾曲表面２８の中心と、基底部分１２の水平方向伸張部分１６から伸びた水平線３４の間に引かれている。その上、“Ｂ”  と符号付けされる垂直高度線は、凹部湾曲表面２６の中心と水平線３４の間に引かれている。
【００３１】
図示の３．８１ｃｍ（１．５インチ）実施態様においては、直線Ｂの長さは直線Ａの長さの約半分であるが、直線Ｂの長さに対する直線Ａの長さの比もまた１から４であると思われる。図示される１．５インチ実施態様においては、直線Ａは約１．２５インチであり、直線Ｂは約０．５インチである。しかしながら、すでに述べたように、別の比や寸法も、特に、１．５インチ以外の長さに頭髪をカッティングするように構成された取付コームと関連する場合は、本発明の範囲に含まれるものと考えられる。
【００３２】
歯１４に関連するいくつかの特徴が、頭髪をトリミングされている人の心地よさを増す目的で追加されている。例えば、丸み付けされた部分が歯１４のおのおの各のそれぞれ基底部分近接端部（３６）と先端部（３８）の近傍に含まれている。これら丸みエッジ３６と３８は、ヘアカットの対象者の頭部を突いたり引っかいたりして、その結果、その人に不快感を与えてしまう平滑エッジより有利である。
【００３３】
さらに、ある実施態様では、拡幅リブ４０は歯１４夫々の下方周辺エッジに沿って伸張している（図１と４を参照）。これらの拡幅リブ４０は歯１４夫々の下方周辺部の全長に沿って伸張しているように図示されているが、拡幅リブ４０は、使用中に頭皮にもっとも当接されやすい領域内の個々の歯の下方周辺部の１部に沿って伸張することもあり得るし、また、拡幅リブ４０はある歯に対してだけ含まれる、例えば、代替の歯（図３の歯１４’と１４’’など）に対してだけ含まれたり、外部の歯（図３の歯１４’など）に対してだけ含まれることもあり得る。
【００３４】
減少半径表面２６’（図１と４に示すようなもの）を含む歯の代替実施態様においては、拡幅リブ４０は減少半径表面２６’より先に終端することがあるが、それはこの表面２６’が頭皮とは接触しないからである。
拡幅リブ４０は歯１４の本体の残余のリブの幅より大きな幅を持ち、これによって、ヘッドの表面に乗り上げる際に歯１４が生成する圧力をよりよく分配するようにしている。拡幅リブ４０の拡幅下方表面は、ヘッドと取付け櫛１０の間の夫々の接触点に印加される力が拡幅リブ４０を持たない櫛と比較して少ないが、その理由は、この力がより大きな表面領域に分割されるからである。
【００３５】
この接触圧力が減少することによって、カッティング手順が、頭髪をカッティングされる人にとってより心地よいものとなる。個々の拡幅リブ４０の幅は約０．１５２ｃｍから０．５１ｃｍの範囲内であることが望ましいが、０．３８１ｃｍが好ましい値であり、その一方では、個々の歯の本体部分の幅は約０．０７６ｃｍから０．１５２ｃｍの範囲内であるのが望ましい。さらに、拡幅リブ４０の幅は歯１４の本体と少なくとも約２倍であることが好ましい。
【００３６】
前述の特徴の他にも、本発明による取付け櫛１０はまた、本発明による取付け櫛１０はまた、バリカンのカッティングブレードに向けて頭髪を誘導する助けとなる特徴を含んでいる。頭髪を誘導することに関する特徴の内の１つは、歯１４を長手方向に方位付けすることである。図２と３に最も明瞭に示すように、歯１４’、１４’’および１４’、１４’’は互いに対して斜めに角度が付いていて、図２と３の左側の方に向けて置かれる傾向があるバリカンのカッティングブレードの方向に頭髪を集中させるようにするのが好ましい。
【００３７】
歯をこのように拡げることによって、より広い表面領域上に拡げられたより多くの頭髪をバリカンを１回通過させるだげでカッティングすることができる。その上、歯を拡げることによってまた、カッティングする準備として頭髪のストランドの方位をよりよく揃える助けともなる。歯が拡げられると、多くの別々の方向に揃えられる頭髪のストランドは、歯が単に互いに平行に配置されている場合よりも接触しやすく、また整列しやすくなる。より具体的に言うと、頭髪のストランドは、図１と４に示すように、歯１４上で表面４１を持ち上げることによって接触し整列される。
【００３８】
しかしながら、歯をあまり拡げすぎると、希望のカッティング長を得ることが困難となるかもしれないことを心にとどめておくことが望ましい。したがって、基底部分１２の端部から約３インチほど伸張する複数の歯１４’、１４’’および１４’’’を有する１．５インチ実施態様においては、先端部（３８、すなわち自由端部）での歯同士間の間隔は、基底部分１２の近傍にあるそれと対応する基底部分近接端部（３６）での歯同士間の間隔の約１．５倍となるようにすることが提唱される。
【００３９】
歯の全体長によっては、先端部同士間の間隔の幅の基底部分近接端部同士間の間隔の幅に対するこの提唱される比は約１．２５から約２．５の範囲である。また、歯の先端部同士間の間隔および基底部分近接端部同士間の間隔は一様である必要はないことも予測される。例えば、２つの外部歯１４’と２つの中間歯１４’’間の先端部における幅は、２つの中間歯１４’’と中心歯１４’’’間の幅より大きくなる（逆もまた同様）ことが予測される。
【００４０】
１つの実施態様においては、このように拡げられた歯の構成はまた、長手方向線を基準とした個々の歯の傾斜角を変化させることによって発生される。例えば、第１の角度が第２の角度未満であるとして、中心歯１４’’’  は基底部分１２から概して長手方向に伸張し、中心歯１４’’は長手方向から第１の角度で伸張し、外部歯１４’は長手方向から第２の角度で伸張するのが提唱される。このようにして、頭髪の適切な分量をバリカンのカッティングブレードに向けて誘導できる。
【００４１】
図示されている取付コームの好ましい実施態様においては、５つの歯（１４’、１４’’および１４’’’）が示されている。しかしながら、歯の数を別の値にしても満足すべき性能が得られることがある。
本発明の実施例を用いやすくする本発明の別の特徴は、図３に示すように、拡幅リブ４０はそのおのおのがテーパーが付いていて、その先端部近傍の部分４２では肉厚が減少する。この薄肉部分４２によって、歯１４が頭髪の束の中に入りやすくなる。
【００４２】
最後に、本発明による取付コームの好ましい実施態様もまた、取付コーム１０の全体的な強度を増すいつくかの特徴を含んでいる。図１と４に示すように、強化ウエブ４４が含まれていて、個々の歯１４と基底部分１２の水平方向伸張部分１６の下方表面との間の接続を強化している。その上、外部は１４はそのおのおのがまた、この領域での付加強度を加えるために肉厚ショルダ４６を含んでいる。また、リブ４０は、ヘアカット対象者の頭皮と接触しない補助長さ４８（図１と４に示されている）にまで伸張させてもよい。このようにして、この補助長さ４８に設けたリブ４０は対象者を心地よくさせるためではなく、主として、この領域での歯１４の強度を増し、その剛性を付加するためである。
【００４３】
剛性と強度を付加することの他にも、肉厚ショルダ４６は、取付け櫛１０がバリカン、特にカッティングブレード（すなわち振動ブレードと静止ブレード３５）を基準として適切に揃えられるようにする役目を果たす。取付け櫛がカッティングブレードを基準として適切に揃えられないと、振動ブレードの外部歯１４’で切れてしまうおそれがある。しかしながら、肉厚ショルダ４６が含まれることによって、それが静止ブレード３５の側部エッジに当接して不揃いを防止するのでこの問題は実質的に解消される。本好ましい実施態様においては、肉厚ショルダ４６夫々が実質的に直線状の部分５０および傾斜部分５２を含む。実質的に直線状の部分５０の頂部は静止ブレード３５の頂部表面に概して沿って伸張し、傾斜部分５２の頂部は静止ブレード３５の頂部の上方を伸張し、これによって取付け櫛１０の位置をよりよく固定する助けと成るようにするのが望ましい。
【００４４】
動作中は、本発明による取付け櫛１０は最初に、基底部分１２を介してバリカンに固定される。ひとたび取り付け櫛１０が本来の位置に置かれると、バリカンがオンされ、本来の位置に置かれた取付け櫛１０を持ったこのバリカンはヘアカットを受けようとしている対象者の頭部の上を誘導される。ヘアカットは通常は、ヘアラインの一方の端部例えば額から始まり、長くストロークすることによって、歯１４がバリカンを対象者の頭上を誘導するに連れて頭髪のラインがトリミングされる。
【００４５】
二重湾曲構成（これには凹部湾曲表面２６と凸部湾曲表面２８が含まれる）のために、また拡幅リブ４０のために、バリカンの通り道の下のラインにある頭髪が、不快感がほとんどまたはまったくなしで一様な長さにカッティングされる。反対側のヘアライン（例えば首の背部）のところまたはヘアカットにとって都合の良いところならどこにおいても、取付け櫛１０および散髪対象者の頭部から外され、頭髪の別のラインがトリミングされる。このプロセスは、対象者の全頭部にある頭髪がトリミングされる、またはトリミングが希望される頭髪部分が終了するまで繰り返される。
【００４６】
本発明による取付け櫛の特殊な実施態様を図示し説明したが、以下のクレームに記載する本発明のその広い請求範囲から逸脱することなく上記の実施態様に対して変更や修正が可能であることが当業者には理解されよう。
【００４７】
【発明の効果】
第一の効果は、理容師またはスタイリストとしての専門的な訓練を受けていない人にとっても、頭髪を一様な長さにカッティングすることができる。
理由は、本願発明のバリカン用の装着櫛がバリカンを頭部から所定の距離に保持するからである。
第二の効果は、散髪されている人により大きい心地よさを提供することができる。
理由は、頭髪を手入れされている人の頭部に応じられるように湾曲した下方の周辺表面を有しているからである。
【００４８】
また、バリカンアセンブリが「揺動」し、その結果、頭髪が不均一な長さにカッティングされる確率を減少させる事ができる。更に、歯の少なくとも１部の歯の半径が減少した表面で構成されて（すなわちアンダーカットになって）いて、櫛が１束の頭髪中に挿入された際に歯の先導エッジが遭遇する抵抗を最少にできる。
【図面の簡単な説明】
【図１】図１は、本発明の一実施例であるバリカン用取付け櫛の全体斜視図である。
【図２】図２は、本発明の一実施例であるバリカン用取付け櫛の平面図である。
【図３】図３は、本発明の一実施例であるバリカン用取付け櫛の底面図である。
【図４】図４は、本発明の一実施例であるバリカン用取付け櫛の側面図である。
【図５】図５は、本発明の一実施例であるバリカン用取付け櫛の正面図である。
【図６】図６は、本発明の一実施例であるバリカン用取付け櫛の背面図である。
【符号の説明】
１０  取付け櫛
１２  基底部分
１４  歯
１６  水平方向伸張部分
１８  タブ
２２  突起
２４  細長リップ
２６  凹部湾曲表面
２６’  減少半径表面
２８  凸部湾曲表面
３０、３２  正接点
３４  水平線
３５  静止ブレード
３６  エッジ
３７  移動ブレード
３８  エッジ
４０  拡幅リブ
４４  強化ウエブ
４６  肉厚ショルダ
４８  補助距離リブ
５２  傾斜部分
【図１】
0003626362.tif 000002
【図２】
0003626362.tif 000003
【図３】
0003626362.tif 000004
【図４】
0003626362.tif 000005
【図５】
0003626362.tif 000006
【図６】
0003626362.tif 000007